(57)【要約】      （修正有）【課題】コンクリートを打設した後、型枠パネルからバタ材を取り外す場合に、取り外す必要がない取り付け具を提供する。【解決手段】板状のパネル本体部１１と、パネル本体部１１の後面１１ａに所定間隔を介して固定された複数の柱状のパネル桟部１２とを有する型枠パネルに対してバタ材を取り付けるための取り付け具であって、載置されたバタ材を下方から支持する載置部３３ａと載置部３３ａの一端から上方に延設されると共に載置されたバタ材に対して後方から対向する後方対向部３３ｂとからなる保持部３３と、載置部３３ａの他端から下方に延設された軸部３４と、軸部３４が回動可能に挿通される挿通孔部と、挿通孔部をパネル桟部１２の側面又はパネル本体部１１の後面１１ａに固定して連結するための連結部とを有することを特徴とするバタ材２の取り付け具。【選択図】図３
0003141300.tif 000002
【実用新案登録請求の範囲】
【請求項１】
板状のパネル本体部（１１）と、パネル本体部（１１）の後面（１１ａ）に所定間隔を介して固定された複数の柱状のパネル桟部（１２）とを有する型枠パネル（１０）に対してバタ材（２）を取り付けるための取り付け具であって、載置されたバタ材（２）を下方から支持する載置部（３３ａ）と載置部（３３ａ）の一端から上方に延設されると共に載置されたバタ材（２）に対して後方から対向する後方対向部（３３ｂ）とからなる保持部（３３）と、載置部（３３ａ）の他端から下方に延設された軸部（３４）と、軸部（３４）が回動可能に挿通される挿通孔部（３２）と、挿通孔部（３２）をパネル桟部（１２）の側面（１２ｃ）又はパネル本体部（１１）の後面（１１ａ）に固定して連結するための連結部（３２）とを有することを特徴とするバタ材（２）の取り付け具。
【請求項２】
挿通部（３２）に回動可能に挿通された軸部（３４）の回動に抵抗を与える抵抗手段を備えたことを特徴とする請求項１に記載のバタ材（２）の取り付け具。
【請求項３】
挿通孔部（３２）に回動可能に挿通された軸部（３４）の回動に抵抗を与える抵抗付与手段が、軸部（３４）を下方に付勢して、軸部（３４）と一体的に形成された載置部（３３ａ）を挿通部（３２）の上端面（３２ｄ）に押し付ける付勢手段であることを特徴とする請求項３に記載のバタ材（２）の取り付け具。
【請求項４】
板状のパネル本体部（１１）と、パネル本体部（１１）の後面（１１ａ）に所定間隔を介して固定された複数の柱状のパネル桟部（１２）とを有する型枠パネル（１０）に対してバタ材（２）を取り付けるための取り付け具付きの型枠パネル（１０）であって、載置されたバタ材（２）を下方から支持する載置部（３３ａ）と載置部（３３ａ）の一端から上方に延設されると共に載置されたバタ材（２）の後面（２ａ）に対して後方から対向する後方対向部（３３ｂ）とからなる略Ｌ字形状に屈曲した断面略円形の棒状体である保持部（３３）と、載置部（３３ａ）の他端から下方に延設された断面略円形の棒状体である軸部（３４）と、軸部（３４）が回動可能に挿通される筒状の挿通部（３２）と、挿通部（３２）の後端がパネル桟部（１２）の側面後端（１２ｂ）よりも前方に位置するように固定して連結された板状の連結部（３２）とを有することを特徴とするバタ材（２）の取り付け具付きの型枠パネル。
【考案の詳細な説明】
【技術分野】
【０００１】
本発明は、コンクリートの施工に用いる型枠パネルに対してバタ材を取り付けるための取り付け具、および取り付け具付きの型枠パネルに関する。
【背景技術】
【０００２】
壁状或いは柱状のコンクリート構造物を施工するにあたっては型枠パネルが用いられる。そして、型枠パネルにはコンクリートの大きな側圧に対抗させるための角鋼管等のバタ材が併用される。例えば、型枠パネルの長手方向に沿って水平方向にバタ材を設置し、バタ材の周囲を覆うように断面コ字状の取り付け具を釘等で型枠パネルに打ち付けることによって、バタ材は型枠パネルに取り付けられる。
【特許文献１】特開平７−１１９２９５
【考案の開示】
【考案が解決しようとする課題】
【０００３】
それゆえ、コンクリートを打設した後、型枠パネルからバタ材を取り外す場合には、断面コ字状の取り付け具を取り付けるために型枠パネルに打ちつけた釘などを抜き取り、取り付け具を取り外す必要があると共に、再び型枠パネルにバタ材を取り付けるためには、再び釘などで取り付け具を型枠パネルに固定する必要があるため、型枠の組み立て・解体作業が煩雑であった。
【０００４】
したがって、本考案は、コンクリートを打設した後、型枠パネルからバタ材を取り外す場合に、取り外す必要がない取り付け具を提供することを目的とする。
【課題を解決するための手段】
【０００５】
そこで、請求項１に係る考案は、板状のパネル本体部（１１）と、パネル本体部（１１）の後面（１１ａ）に所定間隔を介して固定された複数の柱状のパネル桟部（１２）とを有する型枠パネル（１０）に対してバタ材（２）を取り付けるための取り付け具であって、載置されたバタ材（２）を下方から支持する載置部（３３ａ）と載置部（３３ａ）の一端から上方に延設されると共に載置されたバタ材（２）に対して後方から対向する後方対向部（３３ｂ）とからなる保持部（３３）と、載置部（３３ａ）の他端から下方に延設された軸部（３４）と、軸部（３４）が回動可能に挿通される挿通孔部（３２）と、挿通孔部（３２）をパネル桟部（１２）の側面（１２ｃ）又はパネル本体部（１１）の後面（１１ａ）に固定して連結するための連結部（３２）とを有することを特徴とするバタ材（２）の取り付け具である。
【０００６】
請求項２に係る考案は、挿通部（３２）に回動可能に挿通された軸部（３４）の回動に抵抗を与える抵抗手段を備えたことを特徴とする請求項１に記載のバタ材（２）の取り付け具である。
【０００７】
請求項３に係る考案は、挿通孔部（３２）に回動可能に挿通された軸部（３４）の回動に抵抗を与える抵抗付与手段が、軸部（３４）を下方に付勢して、軸部（３４）と一体的に形成された載置部（３３ａ）を挿通部（３２）の上端面（３２ｄ）に押し付ける付勢手段であることを特徴とする請求項３に記載のバタ材（２）の取り付け具である。
【０００８】
請求項４に係る考案は、板状のパネル本体部（１１）と、パネル本体部（１１）の後面（１１ａ）に所定間隔を介して固定された複数の柱状のパネル桟部（１２）とを有する型枠パネル（１０）に対してバタ材（２）を取り付けるための取り付け具付きの型枠パネル（１０）であって、載置されたバタ材（２）を下方から支持する載置部（３３ａ）と載置部（３３ａ）の一端から上方に延設されると共に載置されたバタ材（２）の後面（２ａ）に対して後方から対向する後方対向部（３３ｂ）とからなる略Ｌ字形状に屈曲した断面略円形の棒状体である保持部（３３）と、載置部（３３ａ）の他端から下方に延設された断面略円形の棒状体である軸部（３４）と、軸部（３４）が回動可能に挿通される筒状の挿通部（３２）と、挿通部（３２）の後端がパネル桟部（１２）の側面後端（１２ｂ）よりも前方に位置するように固定して連結された板状の連結部（３２）とを有することを特徴とするバタ材（２）の取り付け具付きの型枠パネルである。
【考案の効果】
【０００９】
本考案の取り付け具は、取り付け具の後端（挿通部（３２）の後端）をパネル桟部（１２）の後端（１２ｂ、側面後端）よりも前側（パネル本体部１１側）に位置するようにして型枠パネル（１０）に螺子止め等で連結・固定することによって、バタ材（２）を上方から容易に載置・取り外しすることができる。
【００１０】
また、バタ材（２）を取り外した後は、保持部（３３）を回動させることによって、パネル本体部（１１）とパネル桟部（１２）によって形成される凹部（１４）の内方に保持部（３３）を収納することができるので、型枠パネル（１０）を重ね合わせる場合に保持部が邪魔にならない。
【考案を実施するための最良の形態】
【００１１】
以下、本考案を実施するための最良の形態を、実施例として示す各図と共に説明する。
【実施例】
【００１２】
（型枠パネル１０）
型枠パネル１０は、図１等に示すとおり、コンクリートを打設する際に垂直方向に立設されて壁面を構成するものであり、矩形状の板体であるパネル本体部１１と、パネル本体部１１のコンクリートと接触する面（前面）の反対面である後面１１ａに釘等で固定された木製の角柱体であって、所定間隔を介して配設された複数のパネル桟部１２と、型枠パネル１０の上部を形成する笠木１３とからなる。
【００１３】
パネル本体部１１とパネル桟部１２は、パネル本体部１１の後面１１ａと、パネル桟部１２の前面とを対向させて螺子や釘等の固定手段で固定されて、パネル桟部１２の前後幅Ｙ２と同等の深さを有する凹部１４を形成する。
【００１４】
また、笠木１３はその下面と、パネル本体部１１の上面及びパネル桟部１２の上面とを対向させて釘等の固定手段で固定される。
【００１５】
（バタ材２）
バタ材２は、型枠パネル１０に働くコンクリートの側圧に対抗するための型枠支保工である。具体的には、長尺の角鋼管であるが、丸鋼管、角木柱、丸木柱なども用いられる。
【００１６】
（取り付け具３０）
取り付け具３０は、図１に示すように、型枠パネル１０に複数設けられる。例えば、一のパネル桟部１２に上下に所定間隔を介して２つの取り付け具を設けると共に（上側取り付け具、下側取り付け具）、他のパネル桟部１２に上下に所定間隔を介して２つの取り付け具を設けることにより（上側取り付け具、下側取り付け具）、上下にそれぞれ対となる取り付け具を構成する。対になる取り付け具３０によってバタ材２の両端付近等は支持される。一のパネル桟部１２に設けられた上側取り付け具３０と、他のパネル桟部１２に設けられた上側取り付け具３０は上下方向において同じ位置（高さ）に設けられ、他のパネル桟部１２に設けられた下側取り付け具３０と、他のパネル桟部１２に設けられた下側取り付け具３０は上下方向において同じ位置（高さ）に設けられる。
【００１７】
取り付け具３０は、図２に示すように、連結部３１と、挿通部３２と、保持部３３を主な構成とする。
【００１８】
（連結部３１）
連結部３１は、取り付け具３０を型枠パネル１０に連結して取り付けるためのものであって、金属製の板状体からなり、厚さ方向（左右方向）に貫通した孔３５が形成される。孔３５は、固定手段である螺子や釘等が打ち込むためのものであり、所定間隔を隔てて４つの孔が上下方向に形成される。
【００１９】
（挿通部３２）
挿通部３２は、連結部３１の後端に一体的に形成されると共に略円筒状に形成される。挿通部３２は、同一軸線上に位置する上挿通部３２ａ、中挿通部３２ｂ、下挿通部３２ｃに三分割されている。
【００２０】
連結部３１の後端の上端付近に上挿通部３２ａを設け、上挿通部３２ａから下方向に所定間隔を介して中挿通部３２ｂを設け、さらに中挿通部３２ｂから下方向に所定間隔を介して下挿通部３２ｃを設けている。
【００２１】
（保持部３３）
保持部３３は、略Ｌ字形状に屈曲した棒状体である。断面略円形状の棒状体であって載置されたバタ材２の下面と接触して下方から支持する載置部３３ａと、載置部３３ａと同径の断面略円形状の棒状体であって載置部３３ａの一端から上方に延設されると共に載置されたバタ材２の後面２ａに対して後方から対向する後方対向部３３ｂとからなる。
【００２２】
載置部３３ａの一端から他端までの長さは、バタ材２の前後幅よりも若干大きく設定される。後方対向部３３ｂはバタ材２の後方への移動を制限するものであり、その上下長さはバタ材２の上下長さやバタ材２を積み重ねる数に応じて設定される。
【００２３】
また、図２に示す保持部３３の幅Ｙ１（バタ材の長手方向幅、保持部の短手方向幅）は、パネル桟部１２の前後方向幅Ｙ２よりも小さく設定される。また、図２に示す保持部３３の長さ（短手方向幅Ｘ）は、隣接する複数のパネル桟部１２の間隔よりも小さく設定される。
【００２４】
保持部３３には軸部３４が一体的に形成されている。保持部３３の載置部３３ａの他端には、他端から下方に延設された断面略円形状の棒状体である軸部３４が形成され、保持部３３と軸部３４は一体的に形成される。軸部３４は円筒状の挿通部３２の孔に回動可能に挿入されるものであり、軸部３４が回動するに伴って保持部３３も回動してその位置ないし方向が変化する。
【００２５】
（取り付け具３０と型枠パネル１０の連結）
取り付け具３０は、その後端（挿通部３２の後端）が、パネル桟部１２の後端１２ｂ（側面後端）よりも若干前側（パネル本体部１１側）に位置するようにして型枠パネル１０に螺子止め固定される。
【００２６】
そのため、図３に示すとおり、取り付け具３０の前後幅Ｙ３（挿通部３３の後端から連結部の前端までの幅）はパネル桟部１２の前後方向幅Ｙ２（側面幅）よりも小さく設定されている。
【００２７】
また、取り付け具３０は、バタ材２を載置できる状態、即ち保持部３３を回動させて後方に向けた状態において（図３の状態）、保持部３３の後方対向部３３ｂとパネル桟部１２の後面１２ａとの間隔をバタ材２の前後幅（短手幅）よりも若干大きくして載置できる間隔になるように型枠パネル１０に固定されることはいうまでもない。
【００２８】
取り付け具３０は、軸部３４が回動するに伴って保持部３３も回動してその位置ないし方向が変化するものであり、例えば、図３では、載置部３３ａの一端（軸部３４の上端に繋がる一端）から他端（後方対向部３３ｂの下端に繋がる他端）方向が後方（パネル桟部１２の側面１２ｃと略平行な方向）を向いており、保持部３３が型枠パネル１０の凹部１４から突出しているが、図４では、載置部３３ａの一端（軸部３４の上端に繋がる一端）から他端（後方対向部３３ｂの下端に繋がる他端）方向が左右方向乃至前斜方を向いており、保持部３３が型枠パネル１０の凹部１４に収まっている。なお、保持部３３の幅は凹部１４の奥行（Ｙ２）よりもの小さく設定されれば良い。
【００２９】
このように、取り付け具３０を、取り付け具３０の後端（挿通部３２の後端）が、パネル桟部１２の後端１２ｂ（側面後端）よりも若干前側（パネル本体部１１側）に位置するようにして型枠パネル１０に螺子止め固定すると、まず、図３に示すように、バタ材２を上方から容易に載置・取り外しすることができる。次に、バタ材２を取り外した後は、保持部３３を回動させて、図３の位置から図４の位置に変化させることによって、保持部３３をパネル本体部１１とパネル桟部１２によって形成される凹部１４内方に収納することができるので、型枠パネル１０を重ね合わせる場合に保持部が邪魔にならない。
【００３０】
（抵抗付与手段）
また、軸部３４には、軸部３４の回動に抵抗を与えて回動を可及的に制御（制限）するための抵抗付与手段が設けられている。抵抗付与手段は、軸部３４を下方に向けて常に付勢するバネやゴム等の付勢手段３６を示すことができる。
【００３１】
軸部３４をスプリングバネ３６に挿入すると共に、軸部３４に鍔状のフランジ部３７を設ける。フランジ部３７は軸部３４と螺子嵌合するナット等で構成される。スプリングバネ３６は、その一端が軸部３４に螺子嵌合により固定されたフランジ部３７（の一端である上端面３７ａ）に当接すると共に、その他端が挿通部３２ｂ（の上端面３２ｆ）に当接するように配設される。
【００３２】
また、例えば、軸３４の周面と、軸３４の周面と摺動する挿通部３２の内周面の形状を凹凸加工する等して抵抗摩擦抵抗を高めることもできる。
【００３３】
このようなものであると、スプリングバネ３６等の付勢手段によってフランジ部３７が下方向に常に付勢されることになり、フランジ部３７が設けられた軸部３４及び軸部３４と一体的に形成された保持部３３も下方向に常に付勢される。下方向に付勢された保持部３３が挿通部３２の上端面３２ｄに押し付けられることにより、保持部３３の回動に抵抗が生じ、保持部３３の回動が可及的に制限される。
【図面の簡単な説明】
【００３４】
【図１】本考案の実施例の斜視図
【図２】本考案の取り付け具の分解斜視図。
【図３】本考案の実施例の断面図（バタ材を載置する状態の保持部を示す図）。
【図４】本考案の実施例の断面図（凹部１４に収納した状態の保持部を示す図）。
【符号の説明】
【００３５】
１０  型枠パネル
１１  パネル本体部
１１ａ  パネル本体部の後面
１２  パネル桟部
１３  笠木
１４  凹部
２  バタ材
３０  取り付け具
３１  連結部
３２  挿通部
３２ａ  上挿通部
３２ｂ  中挿通部
３２ｃ  下挿通部
３２ｄ  上挿通部の上端面
３２ｅ  上挿通部の下端面
３２ｆ  中挿通部の下端面
３３  保持部
３３ａ  載置部
３３ｂ  後方対向部
３４  軸部
３５  孔
３６  スプリングバネ
３７  フランジ部
３７ａ  フランジ部の上端面
【図１】
0003141300.tif 000003
【図２】
0003141300.tif 000004
【図３】
0003141300.tif 000005
【図４】
0003141300.tif 000006
【手続補正書】
【提出日】平成20年2月20日(2008.2.20)
【手続補正１】
【補正対象書類名】実用新案登録請求の範囲
【補正対象項目名】請求項３
【補正方法】変更
【補正の内容】
【請求項３】
挿通孔部（３２）に回動可能に挿通された軸部（３４）の回動に抵抗を与える抵抗付与手段が、軸部（３４）を下方に付勢して、軸部（３４）と一体的に形成された載置部（３３ａ）を挿通部（３２）の上端面（３２ｄ）に押し付ける付勢手段であることを特徴とする請求項２に記載のバタ材（２）の取り付け具
【手続補正２】
【補正対象書類名】明細書
【補正対象項目名】０００７
【補正方法】変更
【補正の内容】
【０００７】
請求項３に係る考案は、挿通孔部（３２）に回動可能に挿通された軸部（３４）の回動に抵抗を与える抵抗付与手段が、軸部（３４）を下方に付勢して、軸部（３４）と一体的に形成された載置部（３３ａ）を挿通部（３２）の上端面（３２ｄ）に押し付ける付勢手段であることを特徴とする請求項２に記載のバタ材（２）の取り付け具である。